(57)【要約】【課題】この発明は、補助支えとカンチレバー支えの間の隙間の組合せを通じ、補助支えの底辺と接続端子の溶接足が同一の平面にある技術的な問題を解決できると同時に、接続端子の溶接足と基板接続箇所が電子カードの差込、抜き出しによる揺れを有効に防止でき、コネクタの接続の安定性と使用の信頼性を高め、そしてコネクタの良品率を高め、使用寿命を延長することができる。【解決手段】この発明で一種のカードエッジコネクタが提供されている。コネクタには、複数の差込穴があるバー絶縁本体ソケット、平行して排列する接続端子及び前記絶縁本体ソケットの両端に設置される２個のカンチレバー支えが含まれている。前記の各接続端子を絶縁本体ソケットの差し込み穴に差し込み、基板と電気接続する差し込み電極となる。前記カンチレバー支えには、基板と接続する補助支えが設置され、この補助支えとカンチレバー支えは互いに接合し合い、ヒンジ接続されている。【選択図】図１
2010027590.tif 000002
【特許請求の範囲】
【請求項１】
一種のカードエッジコネクタであって、中には複数の差込穴があるバー絶縁本体ソケット、平行して配列する接続端子及び前記絶縁本体ソケットの両端に設置される２個のカンチレバー支えが含まれており、前記差込穴は、前記の各接続端子を絶縁本体ソケットの差込穴に差し込むことで、基板と電気接続する差し込み電極となり、前記カンチレバー支えには、基板と接続する補助支えが設置されており、前記補助支えとカンチレバー支えとは互いに接合し合い、ヒンジ接続されていることを特徴としているカードエッジコネクタ。
【請求項２】
前記二つのカンチレバー支えの相対の中側から回転軸を延長し、前記補助支えとカンチレバーがヒンジ接続するヒンジ軸となり、前記補助支えに前記回転軸と接合する溝が設置され、補助支えとカンチレバー支えが相対的に回転できるようにすることを特徴とする請求項１記載のカードエッジコネクタ。
【請求項３】
前記補助支えには基板に溶接できる底辺が含まれており、当該底辺から上へ延長して直立部があり、前記直立部は接続部の片端とつなげ、当該接続部の他端から下へつばが延長し、前記つば、接続部、および直立部の間で形成された空間が溝となることを特徴とする請求項２記載のカードエッジコネクタ。
【請求項４】
前記回転軸は上下端に円弧面の長い部品があるもので、それぞれ前記補助支えの接続部の中天辺と底辺の表面に接触し、前記接続部と回転軸の上端の接触面も円弧面であることを特徴とする請求項３記載のカードエッジコネクタ。
【請求項５】
前記補助支えの底辺は上へリミッドスイッチ付き弾性トングまで延長し、前記リミッドスイッチ付き弾性トングの上端は前記回転軸の下端と接触していることを特徴とする請求項４記載のカードエッジコネクタ。
【請求項６】
前記接続部の円弧面半径が前記回転軸の上端の円弧面半径より大きいことを特徴とする請求項４記載のカードエッジコネクタ。
【請求項７】
前記接続部と直立部の間に縦方向の欠けがあることを特徴とする請求項４記載のカードエッジコネクタ。
【請求項８】
前記補助支えとカンチレバー支えの対応位置に、補助支えがカンチレバー支えに沿って縦方向に移動することを制限するクランピング機構が設置されていることを特徴とする請求項１から７のいずれか１項に記載のカードエッジコネクタ。
【請求項９】
前記クランピング機構は回転軸のリミッドスイッチ穴、前記リミッドスイッチ穴に嵌められる後退防止弾性トングからなることを特徴とする請求項８記載のカードエッジコネクタ。
【請求項１０】
前記後退防止弾性トングの底端が前記直立部の内壁に設置され、その天辺が前記補助支えの取付け方向に沿ってその溝の中へ斜めに延長することを特徴とする請求項９記載のカードエッジコネクタ。
【発明の詳細な説明】
【技術分野】
【０００１】
本発明は電子製品の中のコネクタ構造に関係し、特に扁平或いは帯状電子カードを固定するカードエッジコネクタに関係する。
【背景技術】
【０００２】
電子技術の発展に従い、各種の扁平或いは帯状電子カードが各種電子設備（例えば、電子通信設備、コンピューターなど）で広く使用されている。電子カードはカードエッジコネクタを通じ接続され、コネクタの接続端子は溶接足により基板と電気接続され、コネクタは同時に電子カードを固定する。現在、現有のコネクタには、主として複数差込穴があるバー絶縁本体ソケット、平行して排列する接続端子及び前記絶縁本体ソケットの両端に設置され、コネクタの固定に使う二つのカンチレバー支えが含まれている。前記各接続端子の上には接触部があり、絶縁本体ソケットの差込穴の中に設置でき、その下に設置される溶接足が絶縁本体ソケットの外に延長し、基板と電気接続され、コネクタの差込電極となる。前記カンチレバー支えは金属部品で、中には、基板１つが含まれており、片端は絶縁本体ソケットの両端と固定して接続され、他端はフリー端で、その底部に底プレートが下へ延長し、基板と固定して接続されている。溶接時に、コネクタのすべての溶接点は同一の平面にあってはじめて溶接品質が確保できる。しかし、実際には、絶縁本体ソケットはバーの形の部品で、部品の運搬及び他部品との組立の時にねじれ変形が発生しやすく、ソケットにつなぐ二つのカンチレバー支えは組立後、両底プレートの平面が規定の同一設計平面にあることが確保しにくく、支え底プレートの溶接面がその他溶接点と平面度誤差が生じ、その結果、接点溶接不良が出てしまうことになる。
【０００３】
上述の問題に対し、一部の技術では、カンチレバー支えに補助支えをつけ、補助支えの底面と基板を溶接し、カンチレバー支えと補助支えの間に、一定の縦方向の隙間を開け、上下に浮動する形で二つの補助支えの底面と接続端子の溶接足の誤差を吸収し、上述の技術的な問題の解決を図る。しかし、このような構造では、補助支えの各溶接点と接続端子の溶接足が同じ平面にある要求を満足させることができるが、補助支えとカンチレバー支えの間に、上下に移動できる隙間があるから、補助支えは上下に浮動できる支持構造になり、カンチレバー支えと絶縁本体の接続も浮動接続で、電子カードの差し込み、抜き出し過程で接続端子の一部の外力は、カンチレバー支えを通じ、接続端子の溶接足と基板の接続点に伝達し、操作時に、絶縁本体で揺れることがあり、電子カードを下へ押したり、電子カードが弾み出たり振動を受けたりする時に、後の接続端子が直接に影響され、コネクタの接続安定性と信頼性が大きく影響され、接続端子の使用性能が影響されてしまう。
【発明の開示】
【発明が解決しようとする課題】
【０００４】
この発明の実施例の目的は、現有技術の中で二つの補助支えの底辺の溶接点と接続端子の溶接足が同じ平面にあるようにする技術的な問題を解決すると同時に、接続端子の溶接足と基板の接続点が電子カードの差込、抜き出しに影響されなく、コネクタの接続安定性と信頼性を高めるために、カードエッジコネクタを提供することにある。
【課題を解決するための手段】
【０００５】
この発明は下記の手段で実現する。一種のカードエッジコネクタが提供されている。コネクタには、複数の差込穴があるバー絶縁本体ソケット、平行して排列する接続端子及び前記絶縁本体ソケットの両端に設置される２個のカンチレバー支えが含まれている。前記の各接続端子を絶縁本体ソケットの差し込み穴に差し込み、基板と電気接続する差し込み電極となる。前記カンチレバー支えには、基板と接続できる補助支えが設置され、この補助支えとカンチレバー支えは互いに接合し合い、ヒンジ接続されている。
【発明の効果】
【０００６】
本発明で補助支えとカンチレバー支えをヒンジ接続することにより、二つの補助支えの底辺及び接続端子の溶接足と基板の溶接面の誤差を調整できるし、補助支えとカンチレバー支えの間の隙間調整を実現することができるし、補助支えの底辺と接続端子の溶接足が同じ平面にあるようにする技術的な問題を解決すると同時に、接続端子の溶接足と基板の接続点が電子カードの差込、抜き出し力に影響されないことが有効に確保され、コネクタの接続安定性と信頼性が高められ、コネクタの良品率が高められ、使用寿命が延長されている。
【発明を実施するための最良の形態】
【０００７】
本発明の目的、技術方案及びメリットをよく理解できるようにするために、図面及び実施例で本発明についてさらに詳しく説明する。理解できるだろうと思うが、ここで説明する具体的な実施例はあくまでも本発明の解釈に使われるもので、本発明の限定には使われないのである。
【０００８】
図１、図２の通り、本発明の実施例には、複数の差込穴があるバー絶縁本体ソケット１、平行して排列する接続端子３及び前記絶縁本体ソケット１の両端に設置される二つのカンチレバー支え２が含まれている。前記の各接続端子３の上に接触部３１があり、絶縁本体ソケット１の上の差し込み穴に設置して位置決めることができ、その下に設置される溶接足３２は絶縁本体ソケット１の外まで延長され、基板５と電気接続され、コネクタの差込電極となる。電子カード６は一定の角度で絶縁本体ソケット１の中に差し込み、差込端を回転中心にし、下へ回転させ、二つのカンチレバー支え２で位置決め、カードをロックする。その電気接続点は接続端子３と基板５により電気の接続となる。図４、図５の通り、前記二つのカンチレバー支え２はバー形の金属部品で、中には、接続端２１と自由端２４の基板が含まれている。その内の前記接続端２１はそれぞれ絶縁ソケット１の両端と固定接続され、前記自由端２４には弾性アームが含まれており、当該弾性アームを回すと、電子カード６のカードロック状態を解除でき、電子カード６をコネクタから離れるようにさせることができる。図１〜図４の如く、本発明の実施例で、前記カンチレバー支え２の中間位置に、補助支え4が設置され、前記カンチレバー支え2にヒンジ軸が設置され、補助支え４は当該ヒンジ軸とカンチレバー支え２により互いに接合され、当該カンチレバー支え２にヒンジ接続され、このヒンジ軸を相対的に回転でき、補助支え４の底端に基板５と接続できる溶接面がある。上述の機構で、補助支え４はカンチレバー支え2を回転できるから、二つの補助支え４の溶接面と接続端子の溶接足３２の間の平面誤差を自動的に補償できる。同時に、補助支え４とカンチレバー支え２は互いに接合し合い、ヒンジ接続方式で接続されるから、両者の間の接続箇所は互いにぶつかり合って小さい隙間構造となり、上下の相対移動がない。現有の技術に比べ、基板５と接続する溶接面と同じ平面にあることを確保できるし、接続端子３の溶接足３２と基板５の接続点が電子カード６の差込み、抜き出し力の影響による揺れがないようにし、コネクタの接続安定性と信頼性を高め、本発明の目的を実現することができる。
【０００９】
図５、図６の通り、本発明の具体的な実施構造で、前記カンチレバー支え２のヒンジ軸は二つのカンチレバー支え２の向かい合う内側から外へ延長する回転軸２２で、当該回転軸２２は上、下端に円弧面があるバー形の部品で、片端はカンチレバー支え２と固定接続され、他端は開いている。前記補助支え４は、前記回転軸２２に合っている長いＬ形状の部品で、中には基板５と溶接できる底辺４１が含まれており、当該底辺４１の外向きの端に上へ向かうエッジウェアリング４９があり、溶接時に半田の底辺４１における堆積量を増やし（半田はエッジウェアリング４９に沿って堆積）、溶接強度の向上を図る。前記底辺４１の他端から上へ延長し、直立部４２がある。前記直立部４２の上端に接続部４４があり、直立部と接続されている。当該接続部４４は半円状で、他端から下へ延長し、つば４７がある。当該つば４７は直立部４２と平行している。こうして、前記つば４７、接続部４４と直立部４２からなる空間は長方形の溝４５が形成される。当該溝４５の広さは回転軸２２の厚さより大きいこと。組立時に回転軸２２の開きのところから回転軸２２に接合し、前記補助支え４で回転軸２２を回転させ、補助支え４とカンチレバー支え２をヒンジ接続させる。本実施例で、前記回転軸２２はバー形の構造を取る理由とし、カンチレバー支え２構造にあわせられることと補助支え４の縦方向の安定性を確保できることがある。
【００１０】
図６の通り、前記回転軸２２の上端、下端はそれぞれ、前記補助支え４の接続部４４の内天辺と底辺４１の上表面と接触する。その内、前記接続部４４と回転軸２２の上端の合わせ面も円弧面で、且つ当該接続部４４の円弧面半径は前記回転軸２２の上端面の半径より大きいこと。こうして接続部４４と回転軸２２に始終して接触点があり、このような円弧面構造は補助支え４の順調な回転によい。
【００１１】
補助支え４の上下移動と回転軸２２を巡る過度的な回転をもっと規制するために、図６、図７の通り、本発明の実施例で、前記補助支え４４底辺から上へ延長し、リミッドスイッチトング４６があり、当該リミッドスイッチトング４６は補助支え４の底辺でプレスでできた斜め突起物で、当該突起物のトップ平面と前記回転軸２２の下端の円弧面にぶつかり、補助支え２が一定の角度まで回転した後、当該リミッドスイッチトング４６からリミッドスイッチまで押され、カンチレバー支え２と補助支え４の間の相対的な安定性を確保する。
【００１２】
さらに、補助支え４とカンチレバー支え２の対応位置に、補助支え４がカンチレバー支え２に沿って縦方向で移動するクランピング機構が設置されている。図５、図６、図７、図８の通り、前記クランピング機構は回転軸２２に設置されているリミッドスイッチ穴２３及び後退防止弾性トング４３からなる。前記後退防止弾性トング４３はプレス加工で作ることができる。その底端は前記補助支え４の直立部４２の内壁に設置され、トップ端は前記補助支え４の取り付け方向（カンチレバー支えの縦方向）に沿って溝４５の中へ斜め方向で延長し、斜め方向チップ状部品となり、前記リミッドスイッチ穴２３の位置に対応する。補助支え４を回転軸２２に取り付けた後、当該リミッドスイッチ弾性トング４６のトップ端は前記リミッドスイッチ穴２３のなかに嵌められ、補助支え4が回転中の脱落を防止し、補助支え４とカンチレバー支え２の間の接続安定性を向上することができる。
【００１３】
ほかに、前記補助支えの中に、接続部４４、直立部４２の間に、縦方向の欠け４８がある。この構造では、リミッドスイッチトング４６を加工しやすい同時に回転軸２２と接続部４４の間の接触面積を減らせ、回転軸２２と接続部４４の間によい接触性能があるようにし、両者の間の動きがもっとスムーズになる。
【００１４】
上述のクランピング機構の中で、回転軸２２に同様のリミッドスイッチ弾性トングを設置してもいい。補助支え４を回転軸２２につけた後、当該リミッドスイッチ弾性トング４６のトップ端は前記直立部４２の欠け４８のなかに嵌めることができ、補助支え４の後退防止機能を実現できる。
【００１５】
上記は本発明の実施例にすぎなく、本発明の限定にならない。本発明の精神と原則の中で行なわれるいかなる修正、取替と改善などは本発明の保護範囲に含まれるとする。
【図面の簡単な説明】
【００１６】
【図１】本発明にかかる実施例と基板の接続方法を示す図面である。
【図２】本発明にかかる実施例と基板構造を示す展開図面である。
【図３】図１のＩところの拡大図面である。
【図４】本発明にかかる実施例のカンチレバー支えと補助支えの接続を示す図面である。
【図５】本発明にかかる実施例のカンチレバー支えの構造を示す図面である。
【図６】図４のＡ−Ａの切断面を示す図面である。
【図７】本発明にかかる実施例の補助支えを示す図面一である。
【図８】本発明にかかる実施例の補助支えを示す図面二である。
【符号の説明】
【００１７】
１      絶縁本体ソケット
２      カンチレバー支え
２１    接続端
２２    回転軸
２３    リミッドスイッチ穴
２４    自由端
３      接続端子
３１    接触部
３２    溶接足
４      補助支え
４１    底辺
４２    直立部
４３    後退防止弾性トング
４４    接続部
４５    溝
４６    リミッドスイッチ弾性トング
４７    つば
４８    欠け
４９    エッジウェアリング
５      基板
６      電子カード
【図１】
2010027590.tif 000003
【図２】
2010027590.tif 000004
【図３】
2010027590.tif 000005
【図４】
2010027590.tif 000006
【図５】
2010027590.tif 000007
【図６】
2010027590.tif 000008
【図７】
2010027590.tif 000009
【図８】
2010027590.tif 000010